(57)【要約】【課題】ネットカフェや災害時の避難所等において個人又はグループ用の専用スペースを極めて簡単に構成でき、出入口の向きや位置を種々設定でき、空間効率を高めることが可能であり、区画配置の変更や撤去・移設も容易に行える手段を提供する。【解決手段】矩形床板１の長手方向一端側を前として、床板１上の前半部が前方及び左右両側と上方を覆われて後方側に開放した囲いブースＢ１を構成し、同後半部が前後左右及び上方に開放した開放ブースＢ２を構成し、開放ブースＢ２には囲いブースＢ１の天井部の左右両側から後方へ延出して床板１の後端部の左右両側に至るフレーム２を備えるブースユニットを用いる。【選択図】図１
2010116766.tif 000002
【特許請求の範囲】
【請求項１】
矩形床板の長手方向一端側を前として、該床板上の前半部が囲いブースを構成すると共に、同後半部が開放ブースを構成し、
前記囲いブースは、前方及び左右両側と上方が覆われて後方側に開放し、
前記開放ブースは、前後左右及び上方に開放すると共に、前記囲いブースの天井部の左右両側から後方へ延出して前記床板の後端部の左右両側に至るフレームを備えてなるブースユニット。
【請求項２】
前記開放ブースのフレームが、左右側枠部と、これら側枠部の上部間を結ぶ連結杆とからなる請求項１記載のブースユニット。
【請求項３】
前記フレームの各側枠部が、前記囲いブースの天井部の後端から後方へ延びる水平杆と、該水平杆の後端から垂下して前記床板の後端部に至る垂直杆とで構成され、前記連結杆が左右側枠部の後部側に配置してなる請求項２記載のブースユニット。
【発明の詳細な説明】
【技術分野】
【０００１】  この発明は、例えばネットカフェや災害時の避難所等において個人又は数人用の専用スペースを構成するためのブースユニット、特に上下二段積み形態で用いるのに好適なブースユニットに関する。
【背景技術】
【０００２】  従来、ネットカフェ等のフロアに個人の専用スペースを設ける場合、衝立のようなパーティションで仕切るか、区画壁を構築するのが普通であるが、その施工に多大な手間を要すると共に、施工性面より出入口の向きや位置が画一的になり易い上、一旦設定した区画配置の変更が困難であった。また、椅子やソファに座ってインターネット、画像ゲーム、ビデオ、テレビ等を楽しむ利用形態では、上方に大きな余剰空間を生じて空間効率が悪いという難点もあった。【０００３】  一方、地震等の災害時に利用する避難所では、体育館や集会所等の広い室内に大勢の避難者が集まるが、適当な仕切りがないために互いにプライバシーを保てず、ストレスで精神的及び肉体的に変調をきたすことが懸念されると共に、概して天井の高い施設が多いが、室内を平面的にしか利用できないために収容人数が限られるという問題があった。
【発明の開示】
【発明が解決しようとする課題】
【０００４】  この発明は、上述の事情に鑑みて、ネットカフェや災害時の避難所等において個人又はグループ用の専用スペースを極めて簡単に構成でき、且つ出入口の向きや位置を種々設定し得ると共に空間効率を高めることが可能であり、また区画配置の変更や撤去・移設も容易に行える手段を提供することを目的としている。
【課題を解決するための手段】
【０００５】  上記目的を達成するための手段として、請求項１の発明は、矩形床板の長手方向一端側を前として、該床板上の前半部が囲いブースを構成すると共に、同後半部が開放ブースを構成し、囲いブースは、前方及び左右両側と上方が覆われて後方側に開放し、開放ブースは、前後左右及び上方に開放すると共に、前後左右及び上方に開放すると共に、囲いブースの天井部の左右両側から後方へ延出して床板の後端部の左右両側に至るフレームを備えてなるブースユニットを提供する。【０００６】  請求項２の発明は、上記請求項１のブースユニットにおいて、開放ブースのフレームが、左右側枠部と、これら側枠部の上部間を結ぶ連結杆とからなるものとしている。【０００７】  請求項３の発明は、上記請求項２のブースユニットにおいて、フレームの各側枠部が、囲いブースの天井部の後端から後方へ延びる水平杆と、該水平杆の後端から垂下して床板の後端部に至る垂直杆とで構成され、連結杆が左右側枠部の後部側に配置してなるものとしている。
【発明の効果】
【０００８】  請求項１の発明に係るブースユニットは、矩形床板上の前半部が後方のみに開放した囲いブース、後半部が開放ブースをなすから、囲いブースは、周囲から遮られたプライベート空間として、例えば内奥にパソコンやＡＶ機器を配備してインターネット、画像ゲーム、ヒデオ、テレビ・ラジオ放送、音楽等を楽しんだり、ソファーで仮眠や休憩をとるのに利用できる。一方、開放ブースは、囲いブースへの出入り用スペースになると共に、仮眠や休憩のために囲いブース内のソファーの背もたれを後方へ倒したり、ソファーベッドの場合にベッド形態にしたりするのに必要となる後方側の余裕空間等として利用できる。【０００９】  しかして、このようなブースユニットによれば、対象となるフロアに運び込むだけで専用スペースを構成できるから、従来のようにパーティションを組み付けたり隔壁を構築するのに比較して作業操作が格段に容易になる上、例えば災害時の避難所になる体育館や集会所等の広いフロアにも迅速にプライベート空間を形成でき、一旦設定した区画配置の変更も簡単に行えると共に、避難所等で一時的な利用期間が終わった際にも容易に撤去できる。また、開放ブースには囲いブースの天井部の左右両側から後方へ延出して床板の後端部の左右両側に至るフレームを備えるから、このフレームによって開放ブースの空間サイズが定まると共に、該フレームと囲いブースの天井部とを利用して当該ブースユニット上に他のブースユニットを載置でき、もって上下二段の配置形態として空間効率を高めることが可能である。【００１０】  更に、このブースユニットでは、開放ブースによって左右及び後方のいずれにも出入口を設定できるから、それだけフロアの通路構成の自由度が増し、専用スペースの利用形態やフロアの周囲形状の違いに対応でき、また出入口を二方向や三方向に確保することも可能である。また、囲いブースと開放ブースが矩形床板上の長手方向半部ずつになっているから、前記の上下二段の配置形態を含めてブースユニット同士を隣接して設置する場合に、互いに前後の向きを逆に設定することにより、一方の開放ブースの側方が隣接する他方の囲いブースの側面にて遮蔽される形になり、隣接するブースユニット間で互いに相手側から覗き見られる懸念がないため、確実にプライバシーを保つことができる。なお、隣接するブースユニット同士の前後の向きを同じにすれば、互いに並んだ開放ブースから隣の様子を窺えるが、仲間同士で利用する場合には会話や行き来ができて好都合であり、また災害時の避難所等で家族の人数分のブースユニットを一まとめにする場合にも出入口が同じ向きになって利用し易い。【００１１】  請求項２の発明によれば、上記のブースユニットにおいて、開放ブースのフレームが左右側枠部と連結杆とで一体化して強固であるから、該フレームを手摺りとして利用者が押し引きしても内外に倒れたり変形したりする懸念がなく、また当該ブースユニット上に他のブースユニットを載置する場合に充分な支持強度を確保できる。【００１２】  請求項３の発明によれば、上記の左右側枠部と連結杆とからなるフレームにおいて、各側枠部が、囲いブースの天井部の後端から後方へ延びる水平杆と、該水平杆の後端から垂下して床板の��端部に至る垂直杆とで構成され、連結杆が左右側枠部の後部側に配置するから、当該ブースユニット上に他のブースユニットを載置する場合に、水平杆によって支承長さが長くなると共に、連結杆と垂直杆によって後部側の支持強度がより大きくなり、もって載置される他のブースユニットがより安定した支承状態になる。
【発明を実施するための最良の形態】
【００１３】  以下に、この発明の実施形態について図面を参照して具体的に説明する。図１は第１実施形態のブースユニットＵ１、図２は同ブースユニットＵ１の２基の向きを前後逆にした上下二段の配置構成例、図３は同ブースユニットＵ１の４基の向きを互い違いにした上下二段の配置構成例、図４は第２実施形態のブースユニットＵ２、図５は第３実施形態のブースユニットＵ３、図６は第４実施形態のブースユニットＵ４、図７は第１実施形態のブースユニットＵ１の４基の向きを同じにした上下２段の配置構成例、図７は第１及び第２実施形態のブースユニットＵ１，Ｕ２の各２基の組み合わせによる上下２段の配置構成例、をそれぞれ示す。【００１４】  図１（ａ）（ｂ）で示すように、第１実施形態のブースユニットＵ１は、縦／横比が約２／１の矩形の床板１の長手方向一端側を前として、該床板１上の前半部が前方及び左右両側と上方をパネル１１〜１３で覆われて後方のみに開放した箱型の囲いブースＢ１を構成すると共に、同床板１上の後半部が囲いブースＢ１の箱型の稜線に対応したフレーム２のみを有する開放ブースＢ２を構成している。【００１５】  そして、囲いブースＢ１のパネル１１〜１３はいずれもＦＲＰ等の成形物からなり、左右両側パネル１２，１２及び天井パネル１３は平板状に形成されている。しかるに、前部パネル１１は、内側にパソコンやディスプレイ等の載置棚（図示省略）や照明具（図示省略）等を設けるために、上部と中間部以下とが左右全幅にわたって外側へ膨出した形状になっている。なお、囲いブースＢ１の内高は、椅子やソファーに座った状態で利用することを前提として、通常１．２〜１．５ｍ程度に設定される。【００１６】  また、開放ブースＢ２のフレーム２は、全体が金属パイプ材からなり、囲いブースＢ１の天井パネル１３の左右両側から各々後方へ延びる水平杆２１と、各水平杆２１の後端から垂下して床板１の後端に至る垂直杆２２とで左右側枠部２ａ，２ａを構成すると共に、これら左右側枠部２ａ，２ａが相互の水平杆２１，２１の後端間を結ぶ連結杆２３によって一体化されている。そして、このフレーム２によって開放ブースＢ２の空間サイズが定められ、この場合の空間サイズは囲いブースＢ１の空間と略同じ大きさになる。【００１７】  このようなブースユニットＵ１では、前半部の囲いブースＢ１の内部が周囲から遮られたプライベート空間になる一方、後半部の開放ブースＢ２が囲いブースＢ１への出入り用スペースになるから、これを必要とするフロアに運び込むだけで専用スペースを構成できる。従って、専用スペースのために従来の如くパーティションを組み付けたり隔壁を構築する場合に比較し、作業操作が格段に容易になる上、例えば災害時の避難所になる体育館や集会所等の広いフロアにも迅速にプライベート空間を形成できる。また、一旦設定した区画配置の変更も簡単に行えると共に、避難所等で一時的な利用期間が終わった際には容易に且つ短時間で撤去でき、そのままトラック等で搬送して倉庫に保管したり、他の必要な場所に移設できる。更に、このブースユニットＵ１では、開放ブースＢ２によって左右及び後方のいずれにも出入口を設定できるから、それだけフロアの通路構成の自由度が増し、専��スペースの利用形態やフロアの周囲形状の違いに対応でき、また出入口を二方向や三方向に確保することも可能である。【００１８】  そして、囲いブースＢ１は、例えば内奥に棚等を設けてパソコンやＡＶ機器を配備すると共に、椅子やソファー等を設置することにより、座った状態でインターネット、画像ゲーム、ビデオ、テレビ・ラジオ放送、音楽等を楽しんだり、ソファーで仮眠や休憩をとるのに利用できる。一方、開放ブースＢ２は、出入り用スペースに加え、仮眠や休憩のために囲いブースＢ１内のソファーの背もたれを後方へ倒したり、ソファーベッドの場合にベッド形態にするのに必要な後方側の余裕空間にもなる。【００１９】  開放ブースＢ２のフレーム２は、左右側枠部２ａ，２ａが連結杆２３を介して一体化して強固であるから、該フレーム２を手摺りとして利用者が押し引きしても内外に倒れたり変形したりする懸念がない。また、このフレーム２と囲いブースＢ１の天井部とを利用して、当該ブースユニットＵ１上に他のブースユニットを載置でき、もって上下二段の配置形態としてフロアの空間効率を高めることが可能である。特に第１実施形態のブースユニットＵ１のフレーム２は囲いブースＢ１の箱型の稜線に対応した枠形態であるから、例えば図２に示すように、当該ブースユニットＵ１上に他のブースユニットＵ１を載置する場合に、水平杆２１，２１によって支承長さが長くなると共に、後端位置の連結杆２３と垂直杆２２によって後部側の支持強度が大きく、載置される他のブースユニットＵ１がより安定した支承状態になる。【００２０】  また、囲いブースＢ１と開放ブースＢ２が矩形床板１上の長手方向半部ずつになっているから、例えば図３に示すように、上下二段の配置形態を含めてブースユニットＵ１，Ｕ１同士を隣接して設置する場合に、互いに前後の向きを逆に設定することにより、一方の開放ブースＢ２の側方が隣接する他方の囲いブースＢ１の側面にて遮蔽される形になり、隣接するブースユニットＵ１，Ｕ１間で互いに相手側から覗き見られる懸念がなく、確実にプライバシーを保つことができる。これは、図３よりも更にブースユニットＵ１の配列数を多くしても同様であり、前後関係が交互に逆になるように配列することにより、中間位置にあるブースユニットＵ１の開放ブースＢ２では、左右両側方が隣接するブースユニットＵ１の囲いブースＢ１の側面にて遮蔽される。【００２１】  一方、例えば図７に示すように、隣接するブースユニットＵ１，Ｕ１同士の前後の向きを同じにすれば、互いに横に並んだ開放ブースＢ１，Ｂ１から隣の様子を窺えるが、利用者が仲間同士では会話や行き来ができるために好都合である。従って、複数人数の仲間内で利用する場合に専用として、このような同じ向きの配置形態にも利用価値がある。また、災害時の避難所等で家族の人数分のブースユニットＵ１…を一まとめにする場合にも、出入口が同じ向きである方が利用し易い。【００２２】  なお、この発明のブースユニットでは、開放ブースＢ２のフレームの形態、全体の左右幅や高さ等を種々設定できる。例えば、図４で示す第２実施形態のブースユニットＵ２では、開放ブースＢ２のフレーム３が、各々両端部を除いて弧状に湾曲した左右側枠部３１，３１���、これら左右側枠部３１，３１の上部で水平から弧状に移行する部分同士を繋ぐ連結杆３２とで構成されている。また、図５で示す第３実施形態のブースユニットＵ３では、開放ブースＢ２のフレーム４が、各々への字形に曲折した左右側枠部を構成する上部側の短い水平杆４１及び傾斜杆４２と、その曲折部間を繋ぐ連結杆４３とで構成されている。更に、図６で示す第４実施形態のブースユニットＵ４では、開放ブースＢ２のフレーム５が、第２実施形態と同様に湾曲した左右側枠部５１，５１と、これらの上部で水平から弧状に移行する部分同士を繋ぐ連結杆５２とで構成されると共に、全体の左右幅が広くなっている。【００２３】  しかして、第２及び第３実施形態のブースユニットＵ２，Ｕ３における開放ブースＢ２のフレーム３，４のように、左右側枠部の上側水平部が短い場合は、その上に他のブースユニットを載置するには支承長さが不足して安定性に劣るため、例えば図８に示すブースユニットＵ１，Ｕ２の組み合わせによる上下二段配置のように、下段側に第１実施形態のブースユニットＵ１の如くフレームの支承長さが長いものを配置し、上段側に当該支承長さの短いものを配置するのがよい。また、第４実施形態のブースユニットＵ４のように全体の左右幅が広いものは、複数人数で利用するのに好適である。【００２４】  更に、開放ブースＢ１のフレームは、囲いブースＢ１の壁体及び床板１を貫通する全体骨格の一部として開放ブースＢ１側で露呈する構成であってもよい。また、囲いブースＢ１の前部パネル１１については、第１〜第４実施形態のように前方へ膨出した形状とせず、平板状に設定してもよい。更に、前記全体骨格のフレームを採用する場合、囲いブースＢ１の前面及び左右側面と上面の全部又は一部に、パネル以外の合成樹脂シート材や布材を採用することも可能である。その他、図示を省略しているが、ブースユニット同士の上下二段配置では、上段側へ登るためのステップや梯子を一体に取り付けたり、別体の付属品として用意すると共に、適当な連結具によって上下のブースユニット同士を連結固定することが好ましい。
【図面の簡単な説明】
【００２５】
【図１】この発明の一実施形態に係るブースユニットを示し、（ａ）は斜め前方から見た斜視図、（ｂ）は斜め後方から見た斜視図である。
【図２】同ブースユニット２基の向きを前後逆にした上下二段の配置構成例を示す斜視図である。
【図３】同ブースユニット４基の向きを互い違いにした上下二段の配置構成例を示す斜視図である。
【図４】第２実施形態のブースユニットの斜視図である。
【図５】第３実施形態のブースユニットの斜視図である。
【図６】第４実施形態のブースユニットの斜視図である。
【図７】第１実施形態のブースユニット４基の向きを同じにした上下二段の配置構成例を示す斜視図である。
【図８】第１及び第２実施形態のブースユニットの各２基の組み合わせによる上下２段の配置構成例示す斜視図である。
【符号の説明】
【００２６】  １          床板
２〜５      フレーム
２ａ        側枠部
２１        水平杆
２２        垂直杆
２３        連結杆
３１，５１  側枠部
３２，５２  連結杆
４２        連結杆
Ｂ１        囲いブース
Ｂ２        開放ブース
Ｕ１〜Ｕ４  ブースユニット
【図１】
2010116766.tif 000003
【図２】
2010116766.tif 000004
【図３】
2010116766.tif 000005
【図４】
2010116766.tif 000006
【図５】
2010116766.tif 000007
【図６】
2010116766.tif 000008
【図７】
2010116766.tif 000009
【図８】
2010116766.tif 000010